【手続補正書】
【提出日】平成27年11月18日(2015.11.18)
【手続補正１】
【補正対象書類名】特許請求の範囲
【補正対象項目名】全文
【補正方法】変更
【補正の内容】
【特許請求の範囲】
【請求項１】
２重チャンバガス放電レーザ光源であって、
ハロゲンを含むレージング媒体ガスを包含するレーザチャンバを有する主発振器と、
ハロゲンを含むレージング媒体ガスを包含するレーザチャンバを有する増幅器と、
規則的な間隔で発生する注入機会にレーザチャンバにおいて補給スキームを実行するコントローラを含むガス補給システムと、を備え、
前記補給スキームは、
前記注入機会後に前記チャンバ内のハロゲンガスの望ましい量をもたらすと推定されるある量の非ハロゲン含有ガスとある量の前記ハロゲン含有ガスとを、各注入機会に、選択された前記レーザチャンバ内に注入する段階と、
Ｍが予め決定された数である場合に各Ｍ注入の後に、前記チャンバ内の圧力を調節し、レーザの作動の長さに起因する前記レーザの効率のあらゆる変化を補償する段階と、を含む、２重チャンバガス放電レーザ光源。
【請求項２】
前記チャンバ内の前記圧力を調節し、前記レーザの前記効率のあらゆる変化を補償する段階は、
前記チャンバ内へのガスの各注入中の前記レーザの前記効率を示す前記選択されたレーザチャンバの作動パラメータを測定する段階と、
前記レーザによって発射されたショットの回数に対する前記測定された作動パラメータの変化の比率を推定する段階と、
各注入機会中に圧力の変化を測定する段階と、
前記チャンバ内の前記圧力の変化に対する前記測定された作動パラメータの前記変化の比率を決定する段階と、を含み、かつ
各Ｍ注入の後に、
前記Ｍ注入にわたる前記作動パラメータの前記変化を推定する段階と、
前記Ｍ注入にわたる前記作動パラメータの前記変化を逆にするのに適切である前記チャンバ内の圧力を推定する段階と、
前記チャンバ内の前記圧力を前記推定された圧力に調節する段階と、を更に含む、請求項１に記載の２重チャンバガス放電レーザ光源。
【請求項３】
注入機会のための前記規則的な間隔は、経過時間及びショットカウントの一方又は両方を含むファクタによって決定される、請求項１に記載の２重チャンバガス放電レーザ光源。
【請求項４】
前記選択されたレーザチャンバは前記増幅器レーザチャンバであり、前記作動パラメータは前記増幅器レーザチャンバ内の放電電圧である、又は
前記選択されたレーザチャンバは前記主発振器レーザチャンバであり、前記作動パラメータは前記主発振器と前記増幅器との間の放電タイミング差である、又は
前記選択されたレーザチャンバは前記主発振器レーザチャンバであり、前記作動パラメータはレーザ光源の帯域幅である、又は
前記選択されたレーザチャンバは前記主発振器レーザチャンバであり、前記作動パラメータはＥ９５である、請求項２に記載の２重チャンバガス放電レーザ光源。
【請求項５】
前記Ｍの値は約５０〜約２００である、請求項１に記載の２重チャンバガス放電レーザ光源。
【請求項６】
注入機会後の前記チャンバ内の前記ハロゲンガスの量をモデル化する段階が、前記注入機会後かつ直後の注入機会前の選択された時点で前記チャンバ内の前記ハロゲンガスの量をモデル化する段階を更に含む、請求項１に記載の２重チャンバガス放電レーザ光源。
【請求項７】
ハロゲンを含むレージング媒体ガスを包含するレーザチャンバを各々が有する主発振器及び増幅器を有する２重チャンバガス放電レーザ光源内のガスを補給する方法であって、
規則的な間隔で発生する複数の注入機会を選択する段階と、
前記注入機会後に前記チャンバ内のハロゲンガスの望ましい量をもたらすと推定されるある量の非ハロゲン含有ガスとある量の前記ハロゲン含有ガスとを、各注入機会に、選択された前記レーザチャンバ内に注入する段階と、
Ｍが予め決定された数である場合に各Ｍ注入の後に、前記チャンバ内の圧力を調節し、レーザの作動の長さに起因する前記レーザの効率のあらゆる変化を補償する段階と、を含む方法。
【請求項８】
前記チャンバ内の前記圧力を調節し、前記レーザの前記効率のあらゆる変化を補償する段階は、
前記チャンバ内へのガスの各注入中の前記レーザの前記効率を示す前記選択されたレーザチャンバの作動パラメータを測定する段階と、
前記レーザによって発射されたショットの回数に対する前記測定された作動パラメータの変化の比率を推定する段階と、
各注入機会中に圧力の変化を測定する段階と、
前記チャンバ内の前記圧力の変化に対する前記測定された作動パラメータの前記変化の比率を決定する段階と、を含み、かつ
各Ｍ注入の後に、
前記Ｍ注入にわたる前記作動パラメータの前記変化を推定する段階と、
前記Ｍ注入にわたる前記作動パラメータの前記変化を逆にするのに適切である前記チャンバ内の圧力を推定する段階と、
前記チャンバ内の前記圧力を前記推定された圧力に調節する段階と、を更に含む、請求項７に記載のガスを補給する方法。
【請求項９】
前記複数の注入機会を選択する段階は、経過時間及びショットカウントの一方又は両方を含むファクタに基づいて前記規則的な間隔を選択する段階を更に含む、請求項８に記載のガスを補給する方法。
【請求項１０】
前記選択されたレーザチャンバは前記増幅器レーザチャンバであり、前記作動パラメータは前記増幅器レーザチャンバ内の放電電圧である、又は
前記選択されたレーザチャンバは前記主発振器レーザチャンバであり、前記作動パラメータは前記主発振器と前記増幅器との間の放電タイミング差である、又は
前記選択されたレーザチャンバは前記主発振器レーザチャンバであり、前記作動パラメータはエキシマレーザ光源の帯域幅である、又は
前記選択されたレーザチャンバは前記主発振器レーザチャンバであり、前記作動パラメータはＥ９５である、請求項８に記載のガスを補給する方法。
【請求項１１】
前記Ｍの値は約５０〜約２００である、請求項８に記載のガスを補給する方法。
【請求項１２】
注入機会後の前記チャンバ内の前記ハロゲンガスの量をモデル化する段階が、前記注入機会後かつ直後の注入機会前の選択された時点で前記チャンバ内の前記ハロゲンガスの量をモデル化する段階を更に含む、請求項８に記載のガスを補給する方法。
【請求項１３】
ハロゲンを含むレージング媒体ガスを包含するレーザチャンバを各々が有する主発振器及び増幅器を有する２重チャンバガス放電レーザ光源内のガスを補給する方法を実行するようにプロセッサによって実行可能であるプログラムを具現化した持続性コンピュータ可読媒体であって、
前記方法は、
規則的な間隔で発生する複数の注入機会を選択する段階と、
前記注入機会後に前記チャンバ内のハロゲンガスの望ましい量をもたらすと推定されるある量の非ハロゲン含有ガスとある量の前記ハロゲン含有ガスとを、各注入機会に、選択された前記レーザチャンバ内に注入する段階と、
前記チャンバ内へのガスの各注入中のレーザの効率を示す前記選択されたレーザチャンバの作動パラメータを測定する段階と、
前記レーザによって発射されたショットの回数に対する前記測定された作動パラメータの変化の比率を推定する段階と、
各注入機会中に圧力の変化を測定する段階と、
前記チャンバ内の前記圧力の変化に対する前記測定された作動パラメータの前記変化の比率を決定する段階と、を含み、かつ
各Ｍ注入の後に、
前記Ｍ注入にわたる前記作動パラメータの前記変化を推定する段階と、
前記Ｍ注入にわたる前記作動パラメータの前記変化を逆にするのに適切である前記チャンバ内の圧力を推定する段階と、
前記チャンバ内の前記圧力を前記推定された圧力に調節する段階と、を更に含む、持続性コンピュータ可読媒体。
【請求項１４】
前記ガス補給システム内の前記コントローラが実行する前記補給スキームは、各注入機会に前記選択されたレーザチャンバ内にある量の前記ハロゲンガスを注入する段階の前に、前記注入機会後に前記選択されたレーザチャンバ内に望ましい量のハロゲンガスをもたらす前記ハロゲンガスの量を推定する段階を更に含む、請求項１に記載の２重チャンバガス放電レーザ光源。
【請求項１５】
各注入機会に前記選択されたレーザチャンバ内にある量の前記ハロゲンガスを注入する段階の前に、前記注入機会後に前記選択されたレーザチャンバ内に望ましい量のハロゲンガスをもたらす前記ハロゲンガスの量を推定する段階を更に含む、請求項７に記載のガスを補給する方法。